(57)【特許請求の範囲】
【請求項１】
第１のディスプレイが設けられた第１の筐体と、
第２のディスプレイが設けられた第２の筐体と、
前記第１の筐体と前記第２の筐体とが特定の位置関係にある第１の状態から、前記第１の筐体と前記第２の筐体とが前記第１の状態と異なる特定の位置関係にある第２の状態へ状態変化できる形で前記第１の筐体と前記第２の筐体とを連結する連結部材と、
前記状態変化を検知する検知部と、
前記検知部により前記第１の状態から前記第２の状態への状態変化が検知されると、前記第１のディスプレイに表示される画像および前記第２のディスプレイに表示される画像を変化させるための特定の処理を実行する処理実行部とを備え、
前記第１の状態は、前記第１のディスプレイと前記第２のディスプレイとの位置関係が同一平面内に位置し、且つ、前記第１の筐体の一部と前記第２の筐体の一部とが当接している状態であり、
前記第２の状態は、前記第１のディスプレイと前記第２のディスプレイとの位置関係が同一平面内に位置し、且つ、前記第１の筐体と前記第２の筐体とが離間している状態である
ことを特徴とする携帯端末。
【請求項２】
第１のディスプレイが設けられた第１の筐体と、
第２のディスプレイが設けられた第２の筐体と、
前記第１の筐体と前記第２の筐体とが特定の位置関係にある第１の状態から、前記第１の筐体と前記第２の筐体とが前記第１の状態と異なる特定の位置関係にある第２の状態へ状態変化できる形で前記第１の筐体と前記第２の筐体とを連結する連結部材と、
前記状態変化を検知する検知部と、
前記検知部により前記第１の状態から前記第２の状態への状態変化が検知されると、前記第１のディスプレイに表示される画像および前記第２のディスプレイに表示される画像を変化させるための特定の処理を実行する処理実行部とを備え、
前記第１の状態は、前記第１のディスプレイと前記第２のディスプレイとの位置関係が同一平面内に位置し、且つ、前記第１の筐体と前記第２の筐体とが離間している状態であり、
前記第２の状態は、前記第１のディスプレイと前記第２のディスプレイとの位置関係が同一平面内に位置し、且つ、前記第１の筐体の一部と前記第２の筐体の一部とが当接している状態である
ことを特徴とする携帯端末。
【請求項３】
第１のディスプレイが設けられた第１の筐体と、
第２のディスプレイが設けられた第２の筐体と、
前記第１の筐体と前記第２の筐体とが特定の位置関係にある第１の状態から、前記第１の筐体と前記第２の筐体とが前記第１の状態と異なる特定の位置関係にある第２の状態へ状態変化できる形で前記第１の筐体と前記第２の筐体とを連結する連結部材と、
前記状態変化を検知する検知部と、
前記検知部により前記第１の状態から前記第２の状態への状態変化が検知されると、前記第１のディスプレイに表示される画像および前記第２のディスプレイに表示される画像を変化させるための特定の処理を実行する処理実行部とを備え、
前記第１の状態は、前記第１のディスプレイと前記第２のディスプレイとの位置関係が同一平面内に位置し、且つ、前記第１の筐体の一部と前記第２の筐体の一部とが当接している状態であり、
前記第２の状態は、前記第１のディスプレイと前記第２のディスプレイとの位置関係が同一平面内に位置し、且つ、前記第１の状態に比べて、前記第１の筐体に対する前記第２の筐体の位置が前記第１の筐体と前記第２の筐体との並び方向に直交する方向に変位してなる状態である
ことを特徴とする携帯端末。
【請求項４】
第１のディスプレイが設けられた第１の筐体と、
第２のディスプレイが設けられた第２の筐体と、
前記第１の筐体と前記第２の筐体とが特定の位置関係にある第１の状態から、前記第１の筐体と前記第２の筐体とが前記第１の状態と異なる特定の位置関係にある第２の状態へ状態変化できる形で前記第１の筐体と前記第２の筐体とを連結する連結部材と、
前記状態変化を検知する検知部と、
前記検知部により前記第１の状態から前記第２の状態への状態変化が検知されると、前記第１のディスプレイに表示される画像および前記第２のディスプレイに表示される画像を変化させるための特定の処理を実行する処理実行部とを備え、
前記第２の状態は、前記第１のディスプレイと前記第２のディスプレイとの位置関係が同一平面内に位置し、且つ、前記第１の筐体の一部と前記第２の筐体の一部とが当接している状態であり、
前記第１の状態は、前記第１のディスプレイと前記第２のディスプレイとの位置関係が同一平面内に位置し、且つ、前記第２の状態に比べて、前記第１の筐体に対する前記第２の筐体の位置が前記第１の筐体と前記第２の筐体との並び方向に直交する方向に変位してなる状態である
ことを特徴とする携帯端末。
【請求項５】
前記特定の処理は、イベント駆動型プログラムを実行する処理であり、
前記処理実行部は、
前記検知部により前記状態変化が検知されると、特定の制御情報を発行する制御情報発行部と、
前記制御情報発行部から発行される前記特定の制御情報に基づいてイベント駆動型プログラムを実行するプログラム実行部とを備える
ことを特徴とする請求項１乃至請求項４のいずれか１項に記載の携帯端末。
【請求項６】
画像データを記憶する画像メモリと、
前記画像メモリに記憶された画像データを前記第１のディスプレイおよび前記第２のディスプレイに表示する画像表示部とを備え、
前記アプリケーション実行部は、前記画像メモリに第１の画像データが記憶されているとき、前記制御情報発行部から発行される前記特定の制御情報を受け付けると前記第１の画像データを第２の画像データに更新する
ことを特徴とする請求項５記載の携帯端末。
【請求項７】
前記第１の画像データが、Ｍ頁（Ｍは自然数）の書籍コンテンツのＮ頁目（Ｎは自然数、且つ、Ｎ≦Ｍ−３）と（Ｎ＋１）頁目に対応する画像を示し、
前記第２の画像データが、書籍コンテンツの（Ｎ＋２）頁目と（Ｎ＋３）頁目に対応する画像を示す
ことを特徴とする請求項６記載の携帯端末。
【請求項８】
前記検知部は、前記第１の筐体および前記第２の筐体における前記第１の状態において互いに接する部位に配設されたスイッチを備え、当該スイッチの押下状態の変化から前記状態変化を検知する
ことを特徴とする請求項１乃至請求項７のいずれか１項に記載の携帯端末。
【発明の詳細な説明】
【技術分野】
【０００１】
本発明は、２つの筐体が相対的に位置関係を変化させることができるように連結された携帯端末に関する。
【背景技術】
【０００２】
従来、携帯端末等の情報機器においてイベント駆動型プログラムを実行させる場合、ユーザがタッチパネルや操作釦を操作するとイベント発生情報（以下、制御情報と称す。）が発行されるものが一般的である（特許文献１，２参照）。
このような携帯端末の中には、２つの筐体を備え、一方の筐体の他方の筐体に対する位置関係を変化させることにより、２つの異なった状態をとることができるものがある。
【先行技術文献】
【特許文献】
【０００３】
【特許文献１】特開平１０−２４７９９０号公報
【特許文献２】特開平１０−６６００８号公報
【発明の概要】
【発明が解決しようとする課題】
【０００４】
ところで、このような２つの状態をとることができる携帯端末では、ユーザが携帯端末を状態変化させると制御情報が発行されるように構成し、携帯端末が状態変化したときに発行される制御情報に基づいて、イベント駆動型プログラムを実行させるものが要請されている。
このように、イベント駆動型プログラムを実行させるための操作として従来のタッチパネルや操作釦の操作に加えて、携帯端末を状態変化させるという新たな操作方法が実現できれば、ユーザにとって携帯端末の操作方法が多様化し、携帯端末の利便性を向上させることができる。
【０００５】
本発明は上記事由に鑑みてなされたものであり、イベント駆動型プログラムを実行するための新たな操作方法が追加された利便性のよい携帯端末を提供することを目的とする。
【課題を解決するための手段】
【０００６】
上記課題を解決することを目的として、本発明に係る携帯端末は、第１のディスプレイが設けられた第１の筐体と、第２のディスプレイが設けられた第２の筐体と、第１の筐体と第２の筐体とが特定の位置関係にある第１の状態と、第１の筐体と第２の筐体とが第１の状態とは異なる特定の位置関係にある第２の状態との間で状態変化できる形で第１の筐体と第２の筐体とを連結する連結部材と、状態変化を検知する検知部と、検知部により状態変化が検知されると、第１のディスプレイおよび第２のディスプレイに表示される画像の少なくとも一方を変化させるための特定の処理を実行する処理実行部とを備える。
【発明の効果】
【０００７】
本発明に係る携帯端末によれば、第１の筐体と第２の筐体との位置関係が変わるような状態変化させるという、イベント駆動型プログラムを実行するための新たな操作方法が追加された利便性のよい携帯端末を提供できる。
【図面の簡単な説明】
【０００８】
【図１】実施の形態に係る携帯端末の概略斜視図である。
【図２】実施の形態に係る携帯端末の一部の分解斜視図である。
【図３】実施の形態に係る携帯端末の状態変化を説明するための概略斜視図である。
【図４】実施の形態に係る携帯端末の状態変化を説明するための概略側面図である。
【図５】実施の形態に係る携帯端末の構成図である。
【図６】実施の形態に係る携帯端末の動作を示すフローチャートである。
【図７】実施の形態に係る携帯端末の動作説明図である。
【図８】実施の形態に係る携帯端末の動作説明図である。
【図９】変形例に係る携帯端末の状態変化を説明するための概略斜視図である。
【図１０】変形例に係る携帯端末の状態変化を説明するための概略側面図である。
【図１１】変形例に係る携帯端末の動作説明図である。
【発明を実施するための形態】
【０００９】
＜実施の形態＞
以下、本実施の形態に係る携帯端末１について説明する。
＜１＞外観構成
本実施の形態の携帯端末１の外観構成を図１乃至図４に基づいて説明する。なお、図１および図３は、概略斜視図であり、図２は、分解斜視図であり、図４は、側面図を表している。
【００１０】
携帯端末１は、直方体状に形成された第１の筐体１００および第２の筐体２００と、両筐体１００，２００を連結するアーム（連結部材）３００ａ，３００ｂとから構成されている。そして、アーム３００ａ，３００ｂを第１軸部４１０周りに回動させることにより、図１（ａ）に示す閉じた状態から、図１（ｂ）に示すように一方向から２つのディスプレイ１１１，２１１が視認可能な状態（以下、「開状態」と称す。）に状態変更できる。
【００１１】
第１の筐体１００は、一方の主面に第１のタッチパッド１１０と該タッチパッド１１０の下方に液晶ディスプレイ（Ｌｉｑｕｉｄ  Ｃｒｙｓｔａｌ  Ｄｉｓｐｌａｙ、以下、第１のＬＣＤと称す。）１１１が設けられている。第１の筐体１００における、開状態で第２の筐体２００に当接する側面には、開状態において第１の筐体１００と第２の筐体２００とが当接しているか否かを検知するための第１のスイッチ１６０が設けられている。この第１のスイッチ１６０は、開状態において第１の筐体１００と第２の筐体２００とが当接しているときに押下される。
【００１２】
第２の筐体２００は、平面視で第１の筐体１００とほぼ同一形状をしていて、一方の主面に第２のタッチパッド２１０と該タッチパッド２１０の下方に液晶ディスプレイ（以下、第２のＬＣＤと称す。）２１１が設けられている。第２の筐体２００の他方の主面には、図１乃至図４には図示しないが、スピーカ２９０およびマイクロフォン２９５（図５参照）が設けられている。また、第２の筐体２００における第２のタッチパッド２１０が設けられている主面側には、第１の筐体１００と第２の筐体２００とが重なった状態（以下、閉状態と称す）を検知するための第２のスイッチ２６０が設けられている。この第２のスイッチ２６０は、閉状態にあるときに押下される。なお、第１の筐体１００および第２の筐体２００に設けられるディスプレイとしては、液晶ディスプレイに限られるものではなく、有機ＥＬディスプレイ等の他の種類のディスプレイであってもよい。
【００１３】
アーム３００ａ，３００ｂは、略Ｌ型に形成されており（図２参照）、基端側が第２の筐体２００の長手方向における両側に設けられた第１軸部４１０で支持されている。なお、アーム３００ａ，３００ｂの基端側が、第２の筐体２００の長手方向における両側面から突出することで見栄えが悪くならないように、第１軸部４１０は第２の筐体２００の長手方向における両側面に形成された各凹入部２０５ａ，２０５ｂの底部に配設されている。
【００１４】
一方、アーム３００ａ，３００ｂの先端部は、第１の筐体１００の第１のＬＣＤ１１１が設けられた面とは反対側の面の長手方向における両端側に形成された溝部１５０（図２参照）に挿入されている。また、アーム３００ａ，３００ｂには、長孔３０１が形成されており、長孔３０１に挿通された第２軸部５１０の先端部が溝部１５０の内壁に穿設された孔１５１に嵌合している（図２参照）。これにより、アーム３００ａ，３００ｂは、第１の筐体１００に第２軸部５１０周りに回動自在に連結されている。
【００１５】
上記構成において、２つの筐体１００、２００は、図３に示すように、開状態で、第１の筐体１００と第２の筐体２００とが当接した状態と互いに離間した状態とで状態変更させることができる。また、第１の筐体１００と第２の筐体２００とが当接した状態から離間した状態に状態変更するとき、図４（ａ）（ｂ）に示すように、第２軸部５１０が長孔３０１に沿って移動する。
【００１６】
以下、開状態において、第１の筐体１００と第２の筐体２００とが当接した状態を第１の状態、第１の筐体１００と第２の筐体２００とが離間した状態を第２の状態として説明する。
＜２＞ハードウェア構成
本実施の形態に係る携帯端末１のハードウェア構成を図５に示す。
【００１７】
この携帯端末１は、通信処理部１０と、音声処理部６０と、操作部３１０と、表示部３１１と、記憶部３２と、制御部３０とを備える。そして、この携帯端末１は、更に、閉じた状態にあるか否かを検知する閉状態検知部５１と、開いた状態において第１の状態にあるか否かを検知する接触検知部５０とを備えている。
通信処理部１０は、第２の筐体２００に収納され、アンテナ１１を介して無線基地局と無線通信を行う。
【００１８】
音声処理部６０は、第２の筐体２００に収納され、音声データをアナログ信号に変換してスピーカ２９０から出力したり、マイクロフォン２９５から入力された送話音声をデジタルデータに変換して出力したりする。
記憶部３２は、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等の不揮発性のメモリにより構成され、制御部３０の各機能を実現するためのプログラムを記憶するプログラム記憶領域３２ａと、表示部３１１に表示される画像を示す画像データを記憶しておく画像記憶領域（フレームメモリともいう。）３２ｂとが設けてある。
【００１９】
＜２−１＞操作部
操作部３１０は、静電容量式のタッチパッドである第１のタッチパッド１１０および第２のタッチパッド２１０を備える。第１のタッチパッド１１０からの信号は、アーム３００ａ，３００ｂの内側を通る信号線（図示せず）を介して第２の筐体２００に収納された制御部３０に伝送される。なお、操作部３１０は、タッチパッドに限定されるものではなく、例えば、キー入力装置により構成されるものであってもよい。
【００２０】
＜２−２＞表示部
表示部３１１は、平面視長方形状の第１のＬＣＤ１１１および第２のＬＣＤ２１１と、各ＬＣＤ１１１，２１１を駆動させるドライバ（図示せず）とから構成される。第１のＬＣＤ１１１は、第１のタッチパッド１１０の後面側に配置され、表示面が第１のタッチパッド１１０に対向している。第２のＬＣＤ２１１は、第２のタッチパッド２１０の後面側に配置され、表示面が第２のタッチパッド２１０に対向している。
【００２１】
なお、第１のタッチパッド１１０と第１のＬＣＤ１１１、第２のタッチパッド２１０と第２のＬＣＤ２１１によりそれぞれタッチパネルが構成される。
また、第１のＬＣＤ１１１に表示する画像に対応する画像データは、アーム３００ａ，３００ｂの内側を通る信号線（図示せず）を介して伝送される。
＜２−３＞閉状態検知部、接触検知部
閉状態検知部５１は、第２のタッチパッド２１０の外周に設けられた第２のスイッチ２６０を備え、接触検知部５０は、第１の筐体１００と第２の筐体２００とが接触した状態で押下される第１のスイッチ１６０を備える。閉状態検知部５１および接触検知部５０の検知結果は、制御部３０に入力される。
【００２２】
また、この検知結果は、第１のスイッチ１６０、第２のスイッチ２６０のオンオフに応じて出力される異なるレベルの電圧からなる。
＜２−４＞制御部
制御部３０は、第２の筐体２００に収納され、プロセッサ３０ａと、主記憶部３０ｂと、割込みコントローラ３０ｃとを備える。そして、プロセッサ３０ａは、記憶部３２のプログラム記憶領域３２ａに記憶されているプログラムを主記憶部３０ｂに読み込んで実行し、割込みコントローラ３０ｃから割込み信号が入力されると割込み処理を実行する。この割込みコントローラ３０ｃは、例えば、ユーザが第２のタッチパッド２１０上において第１のタッチパッド１１０に向かう方向に指等をスライドさせる操作（以下、第１スライド操作と称す。）が行われたときや、第１のタッチパッド１１０上において第２のタッチパッド２１０に向かう方向に指等をスライドさせる操作（以下、第２スライド操作と称す。）が行われたときに割込み信号を出力する。そして、割込みコントローラ３０ｃは、更に、第１の状態から第２状態に状態変化させたときにも割込み信号を出力する。この割込みコントローラ３０ｃから出力される割込み信号は、プロセッサ３０ａに入力される。
【００２３】
＜３＞動作  本実施の形態に係る携帯端末１の動作について図６に基づいて説明する。ここでは、携帯端末１の第１のＬＣＤ１１１および第２のＬＣＤ２１１に書籍コンテンツが表示される場合を例に説明する。
まず、制御部３０は、電源オン操作で開始操作（表示開始操作）を受け付けると、閉状態検知部５１からの入力に基づいて閉状態にあるか否かを確認する（ステップＳ１）。
【００２４】
ステップＳ１において、閉状態にあると判定されると（ステップＳ１：ＹＥＳ）、制御部３０は、制御部３０は、第１のＬＣＤ１１１にのみ画像を表示させ（ステップＳ３）、その後、ステップＳ１に移行する。このとき、図７（ａ）に示すように、第１のＬＣＤ１１１には、書籍コンテンツの第Ｎ頁目のみが表示される。
一方、ステップＳ１において、携帯端末１が閉状態（閉状態）にないと判定されると（ステップＳ１：ＮＯ）、制御部３０は、接触検知部５０からの入力に基づいて第１の筐体１００と第２の筐体２００とが互いに接触した状態（第１の状態）にあるか否かを確認する（ステップＳ２）。ここでは、制御部３０が、接触検知部５０からの入力電圧の大きさに基づいて第１のスイッチ１６０の状態を確認する。
【００２５】
ステップＳ２において、携帯端末１が第１の状態にないと判定されると（ステップＳ２：ＮＯ）、制御部３０は、携帯端末１が閉状態にあるか否かを確認する（ステップＳ１１）。
ステップＳ１１において、携帯端末１が閉状態にあると判定されると（ステップＳ１１：ＹＥＳ）、制御部３０は、第１のＬＣＤ１１１のみに画像を表示させる（ステップＳ３）。これは、例えば、ユーザが、閉状態において第２のスイッチ２６０を指等で押下している場合がある。
【００２６】
一方、ステップＳ１１において、携帯端末１が閉状態にないと判定されると（ステップＳ１１：ＮＯ）、制御部３０は、画像記憶領域３２ｂに記憶されている書籍コンテンツのＮ頁目と（Ｎ＋１）頁目の画像データ（第１の画像データ）を取得して第１のＬＣＤ１１１および第２のＬＣＤ２１１に表示させる（ステップＳ１２）。このとき、図７（ｂ）に示すように、第１のＬＣＤ１１１にＮ頁目が表示され、第２のＬＣＤ２１１に（Ｎ＋１）頁目が表示される。
【００２７】
また、ステップＳ２において、携帯端末１が第１の状態にあると判定されると（ステップＳ２：ＹＥＳ）、制御部３０は、書籍コンテンツのＮ頁目と（Ｎ＋１）頁目の画像データ（第１の画像データ）を取得して第１のＬＣＤ１１１および第２のＬＣＤ２１１に画像を表示する（ステップＳ４）。即ち、図７（ｂ）に示すように、第１のＬＣＤ１１１にＮ頁目が表示され、第２のＬＣＤ２１１にＮ＋１頁目が表示される。
【００２８】
その後、制御部３０は、前述の第１スライド操作を検知したか否かを確認する（ステップＳ５）。ここで、制御部３０は、割込みコントローラ３０ｃから出力される割込み信号の種類に基づいて第１スライド操作を検知したか否かを確認する。
ステップＳ５において、第１スライド操作を検知したと判定されると（ステップＳ５：ＹＥＳ）、ステップＳ８の処理に移行する。
【００２９】
一方、ステップＳ５において、第１スライド操作を検知していないと判定されると（ステップＳ５：ＮＯ）、制御部３０は、第２スライド操作を検知したか否かを確認する（ステップＳ６）。ここで、制御部３０は、割込みコントローラ３０ｃから出力される割込み信号の種類に基づいて第２スライド操作を検知したか否かを確認する。
ステップＳ６において、第２スライド操作を検知したと判定されると（ステップＳ６：ＹＥＳ）、制御部３０は、第２スライド操作に対応する特定の制御情報（以下、メッセージＢと称す。）を発行する（ステップＳ１３）。
【００３０】
次に、制御部３０は、メッセージＢに対応した処理を実行する。このメッセージＢに対応した処理とは、画像記憶領域３２ｂに記憶されている書籍コンテンツのＮ頁目および（Ｎ＋１）頁目の画像データ（第１の画像データ）を書籍コンテンツの（Ｎ−２）頁目および（Ｎ−１）頁目の画像データに更新した後に、画像記憶領域３２ｂに新たに記憶された画像データが示す画像を第１のＬＣＤ１１１および第２のＬＣＤ２１１に表示させる処理をいう。
【００３１】
その後、書籍コンテンツのＮ−２頁目をＮ頁目とした上で（ステップＳ１５）、再び、ステップＳ１に移行する。
一方、ステップＳ６において、第２スライド操作を検知していないと判定されると（ステップＳ６：ＮＯ）、制御部３０は、第１の状態から、第１の筐体１００と第２の筐体２００とが離間した状態（第２の状態）に状態変化したか否かを確認する（ステップＳ７）。ここで、制御部３０は、割込みコントローラ３０ｃから出力される割込み信号の種類に基づいて状態変化したか否かを確認する。
【００３２】
ステップＳ７において、携帯端末１が第１の状態から第２の状態に変化していないと判定されると（ステップＳ７：ＮＯ）、再び、ステップＳ４の処理に移行し、携帯端末１が第１の状態から第２の状態に変化したと判定されると（ステップＳ７：ＮＯ）、ステップＳ８の処理に移行する。
結局、携帯端末１が第１の状態にあるとき、第１スライド操作、第２スライド操作および第１の状態から第２の状態への状態変化が行われない限り、ステップＳ４乃至ステップＳ７の処理が繰り返されることとなり、第１のＬＣＤ１１１に書籍コンテンツのＮ頁目、第２のＬＣＤ２１１に書籍コンテンツのＮ＋１頁目が表示された状態で維持されることになる。
【００３３】
そして、ステップ８では、第１スライド操作および第１の状態から第２の状態への状態変化に対応する特定の制御情報（以下、メッセージＡと称す。）を発行する。
次に、制御部３０は、メッセージＡに対応した処理を実行する。このメッセージＡに対応した処理とは、画像記憶領域３２ｂに記憶されている書籍コンテンツのＮ頁目および（Ｎ＋１）頁目の画像データ（第１の画像データ）を書籍コンテンツの（Ｎ＋２）頁目および（Ｎ＋３）頁目の画像データ（第２の画像データ）に更新した後に、画像記憶領域３２ｂに新たに記憶された画像データが示す画像を第１のＬＣＤ１１１および第２のＬＣＤ２１１に表示させる処理をいう（図８（ｂ）（ｃ）参照）。
【００３４】
その後、書籍コンテンツのＮ＋２頁目をＮ頁目とした上で（ステップＳ１０）、再び、ステップＳ１に移行する。
即ち、図８（ａ）乃至（ｃ）に示すように、携帯端末１を第１の状態と第２の状態との間で状態変更させる毎に、第１のＬＣＤ１１１および第２のＬＣＤ２１１に表示される書籍コンテンツの頁が進んでいく。
【００３５】
＜４＞変形例
（１）前述の実施の形態では、閉状態検知部５１が第２のスイッチ２６０を備え、この第２のスイッチ２６０が押下されたか否かにより携帯端末１が閉状態にあるか否かを判別する例について説明したが、これに限定されるものではない。例えば、閉状態検知部５１が筐体１００，２００それぞれのタッチパッド１１０，２１０が設けられた面側に設けられた磁気センサ（図示せず）を備え、この磁気センサからの出力に基づいて閉状態にあるか否かを判別するものであってもよい。
【００３６】
本変形例によれば、第２のタッチパッド２１０を操作しているときに誤まって第２のスイッチ２６０を押下してしまうことにより、誤まった画像表示処理が行われてしまうことがないので、ユーザの使い勝手の向上を図ることができる。
また、前述の実施の形態で説明した接触検知部５０が、第１のスイッチ１６０の代わりに磁気センサ（図示せず）を備え、当該磁気センサの出力値に基づいて第１の状態にあるか否かを判定するものであってもよい。
【００３７】
（２）前述の実施の形態では、制御部３０が、携帯端末１を第１の状態から第２の状態に状態変化させたときに、第１のＬＣＤ１１１および第２のＬＣＤ２１１に表示される書籍コンテンツの頁が進んでいく例に説明したがこれに限定されるものではない。例えば、制御部３０が、携帯端末１を第１の状態から第２の状態に状態変化させたときに、予め決められたメロディをスピーカ２９０から出力するものであってもよい。
【００３８】
（３）前述の実施の形態では、制御部３０が、第１スライド操作が行われた場合と、携帯端末１が第１の状態から第２の状態に状態変化した場合とで同じ制御情報（メッセージＡ）を発行する例について説明したが、これに限定されるものではない。例えば、制御部３０が、第２スライド操作が行われた場合と、携帯端末１が第１の状態から第２の状態に状態変化した場合とで同じ制御情報を発行するものであってもよい。
【００３９】
（４）前述の実施の形態では、開いた状態において、第１の筐体１００と第２の筐体２００とを互いに離間する方向に移動させることにより、イベント駆動型プログラムが実行される例について説明したが、これに限定されるものではない。例えば、図９および図１０に示すように、第２の筐体２００の短手方向における端部において、棒状に形成され且つ第２の筐体２００の長手方向にスライド自在に保持されるとともに、長手方向における両端部においてアーム３００ａ，３００ｂを回動自在に支持する支持部材４２０と、第１の筐体１００における第２の筐体２００に対向する端面に配設された第１のスイッチ１６０とを設けてなるものであってもよい。
【００４０】
本変形例では、第１の筐体１００を第２の筐体２００の長手方向にスライドさせることにより、第１のスイッチ１６０が押下された状態（第１の状態）と押下されない状態（第２の状態）とをとりうる。そして、ユーザが第１の筐体１００を第２の筐体２００の長手方向に沿ってスライドさせると、制御部３０が特定の制御情報を発行する。
これにより、携帯端末１が、第１のＬＣＤ１１１と第２のＬＣＤ２１１とが同一平面内に位置し、且つ、第１の筐体１００の一部と第２の筐体２００の一部とが当接している状態から、第１のＬＣＤ１１１と第２のＬＣＤ２１１とが同一平面内に位置し、且つ、第１の筐体１００に対する第２の筐体２００の位置が第１の筐体１００と第２の筐体２００との並び方向に直交する方向に変位してなる状態へ状態変化するタイミングで、イベント駆動型プログラム（図８では、書籍コンテンツの頁めくり処理）を実行するようになっている。
【００４１】
なお、携帯端末１が、第１のＬＣＤ１１１と第２のＬＣＤ２１１とが同一平面内に位置し、且つ、第１の筐体１００に対する第２の筐体２００の位置が第１の筐体１００と第２の筐体２００との並び方向に直交する方向に変位してなる状態から、第１のＬＣＤ１１１と第２のＬＣＤ２１１とが同一平面内に位置し、且つ、第１の筐体１００と第２の筐体２００とが当接している状態への状態変化するタイミングで、インベント駆動型プログラムを実行するようにしてもよい。
【００４２】
（５）前述の実施の形態では、図８に示すように、携帯端末１が、第１のＬＣＤ１１１と第２のＬＣＤ２１１とが同一平面内に位置し、且つ、第１の筐体１００の一部と第２の筐体２００の一部とが当接している状態から、第１のＬＣＤ１１１と第２のＬＣＤ２１１とが同一平面内に位置し、且つ、第１の筐体１００と第２の筐体２００とが離間している状態へ状態変化したタイミングでイベント駆動型プログラム（図８では、書籍コンテンツの頁めくり処理）を実行する例について説明したが、これに限定されるものではない。例えば、図１１に示すように、第１のＬＣＤ１１１と第２のＬＣＤ２１１とが同一平面内に位置し、且つ、第１の筐体１００と第２の筐体２００とが当接している状態から、第１のＬＣＤ１１１と第２のＬＣＤ２１１とが同一平面内に位置し、且つ、第１の筐体１００と第２の筐体２００とが離間している状態へ状態変化したタイミングでイベント駆動型プログラムを実行するようにしてもよい。
【００４３】
（６）前述の実施の形態では、イベント駆動型プログラムとして、書籍コンテンツにおける頁めくり処理を例に挙げて説明したが、これに限定されるものではない。たとえば、第１のＬＣＤ１１１にインターネットブラウザ画面が表示され、第２のＬＣＤ２１１にメール送受信画面が表示されるコンテンツにおいて、イベント駆動型プログラムが、第１のＬＣＤ１１１と第２のＬＣＤ２１１に表示される画面を入れ替える処理（即ち、第１のＬＣＤ１１１にメール送受信画面を表示し、第２のＬＣＤ２１１にインターネットブラウザ画面を表示するようにする処理、或いは、その逆の表示処理）を行うものであってもよい。
【００４４】
（７）前述の実施の形態では、第１の筐体１００と第２の筐体２００とがアーム３００ａ，３００ｂにより連結されてなる構成について説明したが、これに限定されるものではなく、他の連結手段により連結されてなるものであってもよい。
＜補足＞
（１）実施の形態に係る携帯端末１は、第１のＬＣＤ１１１が設けられた第１の筐体１００と、第２のＬＣＤ２１１が設けられた第２の筐体２００と、第１の筐体１００と第２の筐体２００とが特定の位置関係にある第１の状態から、第１の筐体１００と第２の筐体２００とが第１の状態とは異なる特定の位置関係にある第２の状態へ状態変化できる形で第１の筐体１００と第２の筐体２００とを連結するアーム３００ａ，３００ｂと、状態変化を検知する接触検知部５０と、接触検知部５０により第１の状態から第２の状態への状態変化が検知されると、第１のＬＣＤ１１１に表示される画像および第２のＬＣＤ２１１に表示される画像を変化させるための特定の処理を実行する制御部３０とを備える。
【００４５】
本構成によれば、第１の筐体１００と第２の筐体２００との位置関係が変わるような状態変化させるという、第１のＬＣＤ１１１に表示される画像および第２のＬＣＤ２１１に表示される画像を変化させるための特定の処理を実行するための新たな操作方法が追加された利便性のよい携帯端末を提供できる。
（２）実施の形態に係る携帯端末１は、第１の状態が、第１のＬＣＤ１１１と第２のＬＣＤ２１１とが同一平面内に位置し、且つ、第１の筐体１００の一部と第２の筐体２００の一部とが当接している状態であり、第２の状態が、第１のＬＣＤ１１１と第２のＬＣＤ２１１とが同一平面内に位置し、且つ、第１の筐体１００と第２の筐体２００とが離間している状態である。
【００４６】
本構成によれば、第１の筐体１００の一部と第２の筐体２００の一部とが当接している第１の状態から、第１の筐体１００の一部と第２の筐体２００の一部とが離間している第２の状態に状態変化させるという、新たな操作方法により特定の処理を実行することを可能にした携帯端末を提供できる。
（３）＜変形例＞の（５）で説明した変形例は、第１の状態が、第１のＬＣＤ１１１と第２のＬＣＤ２１１とが同一平面内に位置し、且つ、第１の筐体１００と第２の筐体２００とが当接している状態であり、第２の状態が、第１のＬＣＤ１１１と第２のＬＣＤ２１１とが同一平面内に位置し、且つ、第１の筐体１００と第２の筐体２００とが離間している状態である。
【００４７】
本構成によれば、第１の筐体１００の一部と第２の筐体２００の一部とが離間している第１の状態から、第１の筐体１００の一部と第２の筐体２００の一部とが当接している第２の状態に状態変化させるという、新たな操作方法により特定の処理を実行することを可能にした携帯端末を提供できる。
（４）＜変形例＞の（４）で説明した変形例は、第１の状態が、第１のＬＣＤ１１１と第２のＬＣＤ２１１とが同一平面内に位置し、且つ、第１の筐体１００の一部と第２の筐体２００の一部とが当接している状態であり、第２の状態が、第１のＬＣＤ１１１と第２のＬＣＤ２１１とが同一平面内に位置し、且つ、第１の状態に比べて、第１の筐体１００に対する第２の筐体２００の位置が第１の筐体１００と第２の筐体２００との並び方向に直交する方向に変位してなる状態である。
【００４８】
本構成によれば、第１の筐体１００の一部と第２の筐体２００の一部とが当接している第１の状態から、第１の状態に比べて第１の筐体１００に対する第２の筐体２００の位置が第１の筐体１００と第２の筐体２００との並び方向に直交する方向に変位してなる第２の状態に状態変化させるという、新たな操作方法により特定の処理を実行することを可能にした携帯端末を提供できる。
【００４９】
（５）＜変形例＞の（６）で説明した変形例は、第１の状態が、第１のＬＣＤ１１１と第２のＬＣＤ２１１とが同一平面内に位置し、且つ、第１の状態に比べて、第１の筐体１００に対する第２の筐体２００の位置が第１の筐体１００と第２の筐体２００との並び方向に直交する方向に変位してなる状態であり、第２の状態が、第１のＬＣＤ１１１と第２のＬＣＤ２１１とが同一平面内に位置し、且つ、第１の筐体１００と第２の筐体２００とが当接している状態である。
【００５０】
本構成によれば、第１の状態に比べて第１の筐体１００に対する第２の筐体２００の位置が第１の筐体１００と第２の筐体２００との並び方向に直交する方向に変位してなる第１の状態から、第１の筐体１００の一部と第２の筐体２００の一部とが当接している第２の状態に状態変化させるという、新たな操作方法により特定の処理を実行することを可能にした携帯端末を提供できる。
【００５１】
（６）実施の形態に係る携帯端末１では、特定の処理が、イベント駆動型プログラムを実行する処理であり、制御部３０が、接触検知部５０により状態変化が検知されると、特定の制御情報を発行し、特定の制御情報に基づいてイベント駆動型プログラムを実行する。
本構成によれば、特定の制御情報に基づいて動作する様々なイベント駆動型プログラムの実行が可能となる。
【００５２】
（７）実施の形態に係る携帯端末１では、画像データを記憶する画像記憶領域３２ｂを備え、制御部３０が、画像記憶領域３２ｂに記憶された画像データを第１のＬＣＤ１１１および第２のＬＣＤ２１１に表示し、画像記憶領域３２ｂに第１の画像データが記憶されているとき、特定の制御情報を受け付けると第１の画像データを第２の画像データに更新する。
【００５３】
本構成によれば、ユーザが第１の状態と第２の状態との間で状態変化させるという、新たな操作方法により、第１のＬＣＤ１１１および第２のＬＣＤ２１１に表示される画像を更新していくことが可能となる。
（８）実施の形態に係る携帯端末１は、第１の画像データが、Ｍ頁（Ｍは自然数）の書籍コンテンツのＮ頁目（Ｎは自然数、且つ、Ｎ≦Ｍ−３）と（Ｎ＋１）頁目に対応する画像を示し、第２の画像データが、書籍コンテンツの（Ｎ＋２）頁目と（Ｎ＋３）頁目に対応する画像を示す。
【００５４】
本構成によれば、ユーザが第１の状態と第２の状態との間で状態変化させることにより、あたかも書籍コンテンツの頁めくりを行うかのように書籍コンテンツの画像を変化させていくことができる。
（９）実施の形態に係る携帯端末１は、接触検知部５０が、第１の筐体１００および第２の筐体２００における第１の状態において互いに接する部位に配設された第１のスイッチ１６０を備え、第１のスイッチ１６０の押下状態の変化から状態変化を検知する。
【００５５】
本構成によれば、比較的簡素な構造で接触検知部５０を実現することができるので、製造容易化およびコスト低減を図ることができる。
【産業上の利用可能性】
【００５６】
本発明に係る携帯端末は、２つの筐体を備え、当該２つの筐体同士の相対的な位置関係を変化させることにより状態変更が可能な携帯端末で実行可能なイベント駆動型プログラムに関する技術に適用される。
【符号の説明】
【００５７】
１０  通信処理部
１１  アンテナ
３０  制御部
３０ａ  プロセッサ
３０ｂ  主記憶部
３０ｃ  割込みコントローラ
３２  記憶部
５０  接触検知部
５１  閉状態検知部
６０  音声処理部
１００  第１の筐体
１１０  第１のタッチパッド
１１１  第１のＬＣＤ
１２０  キー入力部
１５０  溝部
１５１  孔
１６０  第２のスイッチ
２１０  第２のタッチパッド
２１１  第２のＬＣＤ
２６０  第１のスイッチ
２９０  スピーカ
２９５  マイクロフォン
３００ａ，３００ｂ  アーム（連結部材）
３０１  長孔
４１０  第１軸部
５１０  第２軸部
【図１】
0005707193.tif 000002
【図２】
0005707193.tif 000003
【図３】
0005707193.tif 000004
【図４】
0005707193.tif 000005
【図５】
0005707193.tif 000006
【図６】
0005707193.tif 000007
【図７】
0005707193.tif 000008
【図８】
0005707193.tif 000009
【図９】
0005707193.tif 000010
【図１０】
0005707193.tif 000011
【図１１】
0005707193.tif 000012